(57)【要約】【課題】サーモＯＦＦ時のサンプリング時などにおいて、より正確に室内空気温度を検知することができる空気調和機を提供する。【解決手段】少なくとも筐体中央部に吸込口１０６と、この吸込口を囲うようにして周囲四辺に略対称的に配置された吹出口１０８とを有する空気調和機であって、室内空気温度を検知する吸込温度検知手段１１３を四隅のうちのひとつの角部に隣接する吹出口１０８ｘ、１０８ｙの側面部１０８ａｘ、１０８ａｙの成す面よりも外側に配置する。【選択図】  図２
2004286287.tif 000002
【特許請求の範囲】
【請求項１】
少なくとも筐体中央部に吸込口と、この吸込口を囲うようにして周囲四辺に略対称的に配置された吹出口とを有する空気調和機であって、室内空気温度を検知する吸込温度検知手段は、前記吸込口が配置された四隅のうちのひとつの角部であって、少なくともこの角部に隣接する前記吹出口の側面部の成す面よりも外側に配置したことを特徴とする空気調和機。
【請求項２】
吸込温度検知手段は吸込面に対して起立した向きに配置したことを特徴とする請求項１記載の空気調和機。
【請求項３】
空気調和機は、室外ユニットと複数の室内ユニットで構成される多室形空気調和機であって、前記室外ユニットに対して前記複数の室内ユニットが並列的に接続されて構成されていることを特徴とする請求項１または２のいずれか一項に記載の空気調和機。
【発明の詳細な説明】
【０００１】
【発明の属する技術分野】
本発明は、空気調和機の室内ユニットに関するものであり、より詳しくは室内温度を検知するセンサの配置に関するものである。
【０００２】
【従来の技術】
従来の空気調和機の室内ユニットを、図４から図６に基づいて説明する。図４は従来の天井埋込型の空気調和機が天井面に設置された場合の構成を示す断面構成模式図である。同図において、天井１０２に取り付けられる筐体１０３のほぼ中央部には送風機１０４を、またこの周囲に熱交換器１０５を配置し、筐体１０３の下面開口部にベルマウス１０６ｂを配置して構成される略円形状の吸込口１０６と、この周囲に対称的な４方向に吹出口１０８を備えた化粧パネル１０１を天井面から被空調室内１０９に露出させて配設している。
【０００３】
また、図５の従来の空気調和機の下面構成模式図に示すように、室内空気温度を検知する吸込温度センサ１１３は、吸込口１０６と吹出口１０８間に配置されており、例えば図６のＡ部拡大構成模式図に示すように、吸込温度センサ１１３は、吸込口１０６のベルマウス１０６ｂの斜面の一部に透孔部１１２を設け、この透孔部１１２に挿通して吸込口１０６の吸込口側に突出させ、さらにベルマウス１０６ｂの上部空間に制御器１１０などを具備した電気部品類１１１を配置し、前記制御器１１０とリード線１１３ａを介して電気的に接続されている（特許文献１）。この構成により、吸込温度センサ１１３は送風機１０４の回転にともない室内空気を吸込むので、室内空気温度が検知で切るようになっている。
【０００４】
【特許文献１】
特開２００１−２０８３７０号公報
【０００５】
【発明が解決しようとする課題】
しかしながら、上記従来の構成では、筐体の熱容量の大きい空気調和機や、図１に示すように室外ユニットに接続された１対の接続配管にに対して複数の室内ユニットが並列的に接続されて多室型空気調和機に接続された場合などでは、次のような課題が発生する可能性がある。
【０００６】
即ち、図１を用いて説明すると、このような多室形空気調和機において、室内ユニット１０１ａと室内ユニット１０１ｂが暖房運転中であり、室内ユニット１０１ｃが運転ＯＦＦ状態であるとする。そして室内ユニット１０１ａはサーモＯＮの状態であり、室内ユニット１０１ｂが設定温度に達するなどしてサーモＯＦＦ状態であったとする。
【０００７】
このような状況では室外ユニット１０２の圧縮機（図示せず）が動作している一方で、サーモＯＦＦで停止中の室内ユニット１０１ｂ、及び停止状態の室内ユニット１０１ｃはその室内送風機（図示せず）を停止させ、膨張弁１０５ｂ、１０５ｃはわずかに開いた状態にすることにより、熱交換器内への液冷媒の溜まり込みを防止している。このようにサーモＯＦＦまたは運転停止状態では、冷媒が室内熱交換器をわずかながらも流動するため、熱交換器、ひいては熱交換器近傍の空気が温められ、暖かい空気は筐体内部に滞留する。
【０００８】
一方、サーモＯＦＦ状態からサーモＯＮ状態に復帰するには、室内空気温度が低下したことを検出する必要がある。このためファンモータを定期的に所定時間運転するサンプリング制御を行うが、この場合サンプリング制御の場合は風量も少なく、従って送風機１０４の回転により吹出口１０８より吹出た暖かい空気がすぐに吸込口１０６に吸込まれるショートサーキット現象により吸込口１０６に導かれる空気温度は実際の室温とは異なる高い温度が検知されることになり、室内ユニット１０１ｂでは暖房運転に復帰するタイミングが遅れてしまうことになるため、室内ユニット１０１ｂの設置された室のユーザにとっては実際に体感する温度と設定温度との間に大きな差が生じてしまうことにる快適性上の課題が発生する可能性があった。
【０００９】
このような状況は多室形の室内機だけでなく、いわゆる１対１の空気調和機であっても、室内ユニットが大きな熱容量を有しており、サーモオフ時に筐体などに蓄熱した熱が徐々にその周囲空気を加熱するような状況で、室内空気温度のサンプリング制御を行う場合にも、このような課題が発生する可能性がある。
【００１０】
本発明はこのような従来の課題を解決するものであり、室内空気温度を的確に検知して、ユーザの不快にならないようにして制御を行う空気調和機を提供することを目的とする。
【００１１】
【課題を解決するための手段】
上記課題を解決するために本発明の空気調和機は、少なくとも筐体中央部に吸込口と、この吸込口を囲うようにして周囲四辺に略対称的に配置された吹出口とを有する空気調和機であって、室内空気温度を検知する吸込温度検知手段は、吸込口が配置された四隅のうちのひとつの角部であって、少なくともこの角部に隣接する吹出口の側面部の成す面よりも外側に配置したことを特徴とする。
【００１２】
【発明の実施の形態】
本願発明の請求項１記載の空気調和機は、少なくとも筐体中央部に吸込口と、この吸込口を囲うようにして周囲四辺に略対称的に配置された吹出口とを有する空気調和機であって、室内空気温度を検知する吸込温度検知手段は、前記吸込口が配置された四隅のうちのひとつの角部であって、少なくともこの角部に隣接する前記吹出口の側面部の成す面よりも外側に配置したことを特徴とする。なお、吸込温度検知手段は吸込面に対して起立した向きに配置するとよい。
【００１３】
これにより、空気調和機を天井面に据え付けたりする場合で、サンプリング動作などを実施する場合でも、吸込温度検知手段は吹出口から吸込口にショートサーキットする室温に対して温度差のある空気の影響を受ける可能性が少なく、従って、より正確な室内空気温度を検知することにより、ユーザに不快感を与えることのない運転制御を行うことができる空気調和機を提供することができる。
【００１４】
そしてこれらの発明を、室外ユニットと複数の室内ユニットで構成される多室形空気調和機であって、前記室外ユニットに対して複数の室内ユニットが並列的に接続されて構成されている空気調和機に対して適用すると、より室内温度の誤検知防止の効果が期待できるものである。
【００１５】
以下本発明の実施の形態について図１から３を参照して説明する。なお、図１などの説明について既に上述した内容については上述を参照して割愛し、また図４から６の説明において用いたのと同じ構成部品は同じ図番を付してその詳細な説明は割愛する。なお、本実施の形態では、図１に示したような１台の室外ユニット１０２に接続された接続配管１０ａ、１０ｂに対して複数の室内ユニット１０１ａ，１０１ｂ，１０１ｃ・・・が並列的に接続されている場合について説明する。状態は上述と同じく室内ユニット１０１ａが暖房運転中であるとともに、室内ユニット１０１ｂが暖房運転中で設定温度に達した等でサーモＯＦＦ状態になっており、室内ユニット１０１ｃは運転停止状態にあるとする。
【００１６】
（実施の形態１）
まず、図２、図３を用いて、実施の形態１による空気調和機の室内ユニットの構成について説明する。室内ユニット１０１ｂは天井埋込型の室内ユニットであり、筐体１０３下面中央部に略円形状の吸込口１０６と、この吸込口１０６を囲うようにして周囲四辺に略対称的に吹出口１０８ｘ、１０８ｙなどを有する空気調和機の室内ユニットであって、室内空気温度を検知する吸込温度センサ１１３は吸込口１０６が配置された四隅のうちのひとつの角部であって、少なくともこの角部に隣接する吹出口１０８ｘ、１０８ｙの側面部１０８ａｘ、１０８ａｙの成す面１１５よりも外側に配置した構成としている。なお、吸込温度センサ１１３はリード線１１３ａを介して、電源板１１９の制御基板１１９ａに通信可能に接続されている。
【００１７】
このような構成の空気調和機の室内ユニット１０１ｂがサーモＯＦＦ状態で間欠的にサンプリング動作を行って室内空気温度を検知するとき、送風機１０４の運転に伴い、熱交換器を通過した暖かい空気が吹出口１０８より吹出し、風回路的に短絡してこの室内空気温度よりも高い温度の空気が吸込口１０６に吸込まれる。空気は圧力の低い吸込口１０６に向かって流れ、その際、空気はもっとも圧力差の小さい経路を流れるため、吹出口１０８より吹出した暖かい空気は、吸込み口１０６までより短い経路を流れることになり、その結果、吹出口の隣り合う側面１０８ａｘ、１０８ａｙがなす領域よりも外側（図２では右上方向）に吸込温度センサ１１３が配置されていれば、上記の暖かい空気の影響をほとんど受けずに室内空気温度を検知することができる。
【００１８】
ここでは吹出口の隣り合う側面１０８ａｘ、１０８ａｙを基準としたが、吹出口１０８と吸込口１０６の大きさの関係により、上記の吸込温度センサを配置すべき領域は吹出口の側面吸込口側端１２０ａと吸込口１０６の吸込面での吹出口側面方向の端部１２０ｂとを結ぶ接線等を基準として用いるようにしてもよい。
【００１９】
これにより、サンプリング時のショートサーキットする送風はこの基準線よりも内側を流れることになり、ショートサーキットで吸込口１０６で空気温度が上昇したとしても、その影響をほとんど受けることなく室内空気温度をより正しく検出することができる。
【００２０】
（実施の形態２）
次に実施の形態２についてまた、図３を用いて説明する。同図に示すように吸込温度センサ１１３は、実施の形態１で示した領域において、吸込口１０６を形成する略水平方向に構成されている吸込面１０６ａに対して略垂直に起立して配置されている。同図では吸込面１０６ａに対して下方に略垂直に起立して形成された側面部１１４に沿って吸込温度センサが配置されている。
サーモＯＦＦで停止中の室内ユニットは、ファンを停止させ、膨張弁などの絞り部はわずかに開いた状態にすることにより、熱交換器内に冷媒が液状態で溜まり込むことによる冷媒不足現象を防止させている。このサーモＯＦＦの停止状態では、冷媒が熱交換器を流動することにより、熱交換器の周囲の空気が温められ、暖かい空気は筐体の上部から溜まりだす。したがって、筐体内の空気温度分布は上部が高く、下部の吸込みグリル付近が最も低い温度を示す。したがって、吸込温度センサ１１３を、起立した側面部１１４に沿って配置することで筐体内では最も低い空気温度の場所で、しかも吹出口側面のなす面１１５よりも外側で四隅のうちのひとつの角部に配置することにより、吹出口１０８から吹出た暖かい空気と混じらない新鮮な空気温度を検知することができる。これにより、室内空気温度を検知する吸込温度検知手段の検知精度向上を得ることができる。
【００２１】
【発明の効果】
上記から明らかなように、本発明は、外側で四隅のうちのひとつの角部に配置することにより、吹出口から吹出た暖かい空気と混じらない新鮮な空気温度を検知することができ、また、筐体内で最も低い下部の吸込みグリル付近に吸込温度検知手段を、起立した側面部に沿って配置することで、吸込温度検知手段においてより正確な室内温度検知を行うことができるという効果を奏する。
【図面の簡単な説明】
【図１】多室形空気調和機の構成模式図
【図２】本発明の実施の形態１を示す空気調和機の室内ユニットの正面模式図
【図３】同一実施形態の吸込温度検知手段の配置構造要部の拡大断面模式図
【図４】従来の実施形態を示す空気調和機の室内ユニットの側方断面模式図
【図５】従来の実施形態を示す空気調和機の室内ユニットの正面図
【図６】図４、図５におけるＡ部拡大構成模式図
【符号の説明】
１０３  筐体
１０５  熱交換器
１０６  吸込口
１０８  吹出口
１１３  吸込温度検知手段
【図１】
2004286287.tif 000003
【図２】
2004286287.tif 000004
【図３】
2004286287.tif 000005
【図４】
2004286287.tif 000006
【図５】
2004286287.tif 000007
【図６】
2004286287.tif 000008
【手続補正書】
【提出日】平成15年3月31日(2003.3.31)
【手続補正１】
【補正対象書類名】明細書
【補正対象項目名】０００２
【補正方法】変更
【補正の内容】
【０００２】
【従来の技術】
従来の空気調和機の室内ユニットを、図４から図６に基づいて説明する。図４は従来の天井埋込型の空気調和機が天井面に設置された場合の構成を示す断面構成模式図である。同図において、天井１０２に取り付けられる筐体１０３のほぼ中央部には送風機１０４を、またこの周囲に熱交換器１０５を配置し、筐体１０３の下面開口部にベルマウス１０６ｂを配置して構成される略円形状の吸込口１０６と、この周囲に対称的な４方向に吹出口１０８を備えた化粧パネル１０１を天井面から被空調室内に露出させて配設している。


【手続補正２】
【補正対象書類名】明細書
【補正対象項目名】０００３
【補正方法】変更
【補正の内容】
【０００３】
また、図５の従来の空気調和機の下面構成模式図に示すように、室内空気温度を検知する吸込温度センサ１１３は、吸込口１０６と吹出口１０８間に配置されており、例えば図６のＡ部拡大構成模式図に示すように、吸込温度センサ１１３は、吸込口１０６のベルマウス１０６ｂの斜面の一部に透孔部１１２を設け、この透孔部１１２に挿通して吸込口１０６の吸込口側に突出させ、さらにベルマウス１０６ｂの上部空間に制御器１１０などを具備した電気部品類１１１を配置し、前記制御器１１０とリード線１１３ａを介して電気的に接続されている（特許文献１）。この構成により、吸込温度センサ１１３は送風機１０４の回転にともない室内空気を吸込むので、室内空気温度が検知できるようになっている。


【手続補正３】
【補正対象書類名】明細書
【補正対象項目名】０００５
【補正方法】変更
【補正の内容】
【０００５】
【発明が解決しようとする課題】
しかしながら、上記従来の構成では、筐体の熱容量の大きい空気調和機や、図１に示すように室外ユニットに接続された１対の接続配管に対して複数の室内ユニットが並列的に接続されて多室型空気調和機に接続された場合などでは、次のような課題が発生する可能性がある。


【手続補正４】
【補正対象書類名】明細書
【補正対象項目名】０００７
【補正方法】変更
【補正の内容】
【０００７】
このような状況では室外ユニット１０２の圧縮機（図示せず）が動作している一方で、室内ユニット１０１ａでは室内送風機（図示せず）及び熱交換器１０５ａに連通している膨張弁１２１ａは運転に応じて適宜調整しているものの、サーモＯＦＦで停止中の室内ユニット１０１ｂ、及び停止状態の室内ユニット１０１ｃはその室内送風機（図示せず）を停止させ、熱交換器１０５ｂ、１０５ｃに連通している膨張弁１２１ｂ、１２１ｃはわずかに開いた状態にすることにより、熱交換器内への液冷媒の溜まり込みを防止している。このようにサーモＯＦＦまたは運転停止状態では、冷媒が室内熱交換器をわずかながらも流動するため、熱交換器、ひいては熱交換器近傍の空気が温められ、暖かい空気は筐体内部に滞留する。


【手続補正５】
【補正対象書類名】明細書
【補正対象項目名】０００８
【補正方法】変更
【補正の内容】
【０００８】
一方、サーモＯＦＦ状態からサーモＯＮ状態に復帰するには、室内空気温度が低下したことを検出する必要がある。このためファンモータを定期的に所定時間運転するサンプリング制御を行うが、この場合サンプリング制御の場合は風量も少なく、従って送風機１０４の回転により吹出口１０８より吹出た暖かい空気がすぐに吸込口１０６に吸込まれるショートサーキット現象により吸込口１０６に導かれる空気温度は実際の室温とは異なる高い温度が検知されることになり、室内ユニット１０１ｂでは暖房運転に復帰するタイミングが遅れてしまうことになるため、室内ユニット１０１ｂの設置された室にいるユーザは実際に体感する温度と設定温度との間に大きな差が生じてしまうことにより、不快に感じてしまうという課題が発生する可能性があった。


【手続補正６】
【補正対象書類名】図面
【補正対象項目名】図１
【補正方法】変更
【補正の内容】
【図１】
2004286287.tif 000009